(57)【要約】  【課題】  排気ファンを増設することなく薄型表示装置の大型化を可能にする。  【解決手段】  ダイキャストにより形成された略平板状の構造体３の前面に表示体４を取り付けるとともに、前記構造体３の後面下部に前記表示体４を駆動する制御回路１１を取り付け、この制御回路１１を後方から後キャビネット２により収納するとともに後キャビネット２の取り付け部を前記構造体３の後面に面接続により取り付け、前記制御回路１１の位置に対応する後キャビネット２の部分の外側に放熱フィン２ａを形成することで薄型表示装置を構成する。また、前キャビネット１および後キャビネット２、構造体３の材質をアルミ合金、亜鉛合金、マグネシウム合金のいずれかにする。【選択図】  図１
2005134591.tif 000002
【特許請求の範囲】
【請求項１】
ダイキャストにより形成された略平板状の構造体の前面に表示体を取り付けるとともに、前記構造体の後面に前記表示体を駆動する回路部を取り付けたことを特徴とする薄型表示装置。
【請求項２】
ダイキャストにより形成された略平板状の構造体と、該構造体の前面に取り付けられた表示体と、前記構造体の後面に取り付けられて前記表示体等を駆動する回路部と、前記表示体を前方から収納保持する前キャビネットと、前記回路部を後方から収納するとともに取り付け部が前記構造体の後面に面接続により取り付けられた後キャビネットと、前記回路部の位置に対応する後キャビネット部分の外側に形成された放熱フィンとを備えたことを特徴とする薄型表示装置。
【請求項３】
請求項１または２に記載の薄型表示装置において、
前記回路部を前記構造体後面の下部に取り付けたことを特徴とする薄型表示装置。
【請求項４】
請求項１乃至３のいずれかに記載の薄型表示装置において、
前記構造体の材質をアルミ合金、亜鉛合金、マグネシウム合金のいずれかにしたことを特徴とする薄型表示装置。
【請求項５】
請求項１乃至４のいずれかに記載の薄型表示装置において、
前記前・後キャビネットの材質をアルミ合金、亜鉛合金、マグネシウム合金のいずれかにしたことを特徴とする薄型表示装置。
【請求項６】
請求項１乃至５のいずれかに記載の薄型表示装置において、
前記表示体を液晶パネル、プラズマパネル、エレクトロ・ルミネッセンス、フィールド・エミッション・ディスプレイのいずれかにしたことを特徴とする薄型表示装置。
【発明の詳細な説明】
【技術分野】
【０００１】
本発明は、液晶パネル、プラズマパネル、ＥＬ（エレクトロ・ルミネッセンス）、ＦＥＤ（フィールド・エミッション・ディスプレイ）等からなる薄型表示装置の構造に関する。
【背景技術】
【０００２】
近年、表示体に液晶パネル、プラズマパネル等を用いた薄型の表示装置は、大型化傾向にある。大型化に伴い、画面サイズの拡大、音声出力の増大により、消費電力が増すことで、内部の発熱量が増し、その結果、内部温度が上昇し、部品寿命の低下、画質の低下という問題が発生してきた。その対策として、キャビネット内の高温空気を強制換気するために排気ファンを取り付けることがあった。しかしながら、排気ファンを取り付けると、風切り音が発生してしまい、新たに騒音対策が必要となる問題があった。そこで、排気ファンを設けることなく、表示装置の発熱を効率よく排出する放熱構造を設けたものとして、従来、特許文献１に記載の「ディスプレイ装置」がある。これは表示装置における内部の発熱を効率よく排出するため、表示装置の背面を構成するリアキャビネットの上部に放熱フィンを設け、内部の発熱を空気の対流を利用して上部に集めて排出するようにしたものである。このように放熱フィンを設けたことで、表示体、制御回路部からの発熱を効率よく外部に排出することが可能となった。
【特許文献１】特開平１１−３８８９１号公報
【発明の開示】
【発明が解決しようとする課題】
【０００３】
しかしながら、上述の「ディスプレイ装置」は、放熱フィンの設置位置がリアキャビネットの上部であるので、表示装置内の制御回路部等の発熱により高温になった空気が上昇して、上部の放熱フィンに伝わってから外部に排出されるという過程を経るため、表示装置の内部の少なくとも上部分は、高温に晒されるという課題があった。例えば、液晶パネルの場合、２０Ｖ型クラスで上と下の温度差が１０°Ｃ以上ある。この温度差により、画面応答速度が上下で変化し映像全体の不具合が生じる原因となることがあった。また、表示装置の大型化および薄型化が進むと、表示装置全体の剛性を保つための構造が必要となってきた。そこで本発明は、薄型表示装置の大型化に対応して、内部発熱を効率良く排出し高温部が偏在しないようにするとともに、剛性を保ち構造的に安定した薄型表示装置を提案することを目的とした。
【課題を解決するための手段】
【０００４】
上記課題を解決するために、本発明は、ダイキャストにより形成された略平板状の構造体の前面に表示体を取り付けるとともに、前記構造体の後面に前記表示体を駆動する回路部を取り付ける。なお、前記表示体とは、液晶表示装置の場合のバックライトを含む表示装置全体を言う。さらに詳しくは、ダイキャストにより形成された略平板状の構造体と、該構造体の前面に取り付けられた表示体と、前記構造体の後面に取り付けられて前記表示体等を駆動する回路部と、前記表示体を前方から収納保持する前キャビネットと、前記回路部を後方から収納するとともに取り付け部が前記構造体の後面に面接続により取り付けられた後キャビネットと、前記回路部の位置に対応する後キャビネット部分の外側に形成された放熱フィンとを備える。ここで、前記回路部は前記構造体後面の下部に取り付けることが好ましい。また、前記構造体の材質をアルミ合金、亜鉛合金、マグネシウム合金のいずれかにすることが可能である。同様に、前記前・後キャビネットの材質をアルミ合金、亜鉛合金、マグネシウム合金のいずれかにすることが可能である。さらに、前記表示体を液晶パネル、プラズマパネル、エレクトロ・ルミネッセンス、フィールド・エミッション・ディスプレイのいずれかにする。
【発明の効果】
【０００５】
以上述べたように本発明によれば、ダイキャストにより形成された略平板状の構造体の前面に表示体を取り付けるとともに、前記構造体の後面下部に前記表示体を駆動する回路部を取り付け、この回路部を後方から後キャビネットにより収納するとともに後キャビネットの取り付け部を前記構造体の後面に面接続により取り付け、前記回路部の位置に対応する後キャビネット部分の外側に放熱フィンを形成したことで、薄型表示装置全体の剛性が増すとともに、回路部の発熱が装置背面の下部で外部に排出され、装置上部が下部よりも高温になることが解消される。その結果、薄型表示装置に排気ファンを設けることなく、また良好な画質を保持したまま大型化することが可能となる。
【発明を実施するための最良の形態】
【０００６】
以下、図に基づいて本発明の実施形態を説明する。
図１は本発明を液晶表示装置に適用した場合の内部構造を示す縦断面図であり、図２は図１の要部を拡大して示した縦断面図であり、図３は図１の要部の横断面図である。これらの図に示されるように、画像が表示される表示体を構成する液晶パネル４の外周部がパネルフレーム７に保持され、液晶パネル４の後方に偏向フィルム６、拡散板５を介して、ホルダー１０に支持されたランプ９と反射板８からなるバックライトが配置されている。反射板８は底浅の箱状に形成されている。パネルフレーム７は、その外縁部が、反射板８の背面に当接する構造体３の外縁部とビスにより締結されている。構造体３はダイキャストにより形成され厚肉の略平板状であるとともに、反射板８の背面側を収納するように外周部が前方に立ち上がる形状に形成されてその背面下部に制御回路１１が取り付けられている。
【０００７】
このように組み立てられたパネルフレーム７と構造体３は、それらの外側が前後から前キャビネット１と後キャビネット２により挟み込まれる。さらに、後キャビネット２下部の制御回路１１に対応する位置の外側に、図３に示されるように、断面が連続するクランク形状からなる放熱フィン２ａが形成されている。この制御回路１１を上下に挟む位置の構造体３の背面側が後方に突出され、後キャビネット２と面接続されてビスにより締結されることで、伝熱性を高めるとともに剛性を高めている。また、構造体３の下端は下方に延設されてＶＥＳＡ規格に準じたスタンド取付部３ａが形成され、後キャビネット２を介して、図示しないスタンドが取り付けられる。なお、このスタンド取付部３ａは図示した下端以外にも、中央部等任意の位置に設けることが可能である。また、この液晶表示装置には、図示しないが、操作部、ＬＥＤ表示部およびスピーカが取り付けられる。
【０００８】
これら前キャビネット１、後キャビネット２、構造体３は、軽量で熱伝導性の良いアルミ合金、亜鉛合金、マグネシウム合金のいずれかを用いたダイキャストにより形成されている。それにより、バックライトの発熱の一部および制御回路１１の発熱の一部が構造体３に伝わっても、後キャビネット２との面接続部を介して後キャビネット２側へ排出される。構造体３の厚さは液晶表示装置全体の剛性を保つに必要かつ充分な厚さにしてある。また、構造体３の下部背面に取り付けられる制御回路１１が、インバータ回路、電源回路、音声回路等と複数ある場合は、各回路の発熱量が平均して全体に配置されるようにすることで、局部的に高温になることを回避する。これら各回路の発熱は、後キャビネット２に設けられた放熱フィン２ａにより、後キャビネット２の外側に排出されるが、この放熱フィン２ａの設置位置は、後キャビネット２の背面下部に限定されず、背面上部、上面、側面、底面等にも任意に増設することが可能である。また、その形状、大きさ、厚み、高さは、制御回路１１の消費電力、発熱量、構造体３背面の温度分布等により、最良の熱排出ができるように決定する。
【０００９】
このように本発明の液晶表示装置は、構造体３を骨格として、その前後に各部品を取り付け、さらにそれらの前後を前キャビネット１と後キャビネット２により挟み込むように構成したことで、表示装置として必要な強度および剛性が得られ、表示装置の大型化に対応可能となる。また、制御回路１１の発熱も、放熱フィン２ａを介して後キャビネット２の背面側に排出するようにしたことで、画面上の上下間で発生する温度差が許容範囲内となり、温度差により画質が損なわれることが解消される。その結果、排気ファンを増設することなく、表示装置を大型化することが可能となる。なお、図示例は、液晶表示装置について説明したが、他の表示方式のプラズマパネル、エレクトロ・ルミネッセンス、フィールド・エミッション・ディスプレイについても同様に構成することが可能である。
【産業上の利用可能性】
【００１０】
本発明は、液晶表示装置以外に、プラズマ・パネル・ディスプレイ、エレクトロ・ルミネッセンス・ディスプレイ、フィールド・エミッション・ディスプレイについても利用可能である。
【図面の簡単な説明】
【００１１】
【図１】本発明を液晶表示装置に適用した場合の内部構造を示す縦断面図である。
【図２】図１の要部を拡大して示した縦断面図である。
【図３】図１の要部の横断面図である。
【符号の説明】
【００１２】
１  前キャビネット
２  後キャビネット
２ａ  放熱フィン
３  構造体
３ａ  スタンド取付部
４  液晶パネル
５  拡散板
６  偏向フィルム
７  パネルフレーム
８  反射板
９  ランプ
１０  ホルダー
１１  制御回路
【図１】
2005134591.tif 000003
【図２】
2005134591.tif 000004
【図３】
2005134591.tif 000005